(57)【要約】【課題】本発明は、Ｒｅｃ. ７０９の規格を満たすと同時に、ＩＥＣ−６０８２５−１のレーザー光製品の標準安全性規格をも満たすことができる青色光源を合成させる青色光合成方法及び青色光合成システムを提供することを課題とする。【解決手段】青色レーザー光を供給するステップ（Ｓ１０２）と、青色レーザー光の光学経路に波長変換装置を配置し、青色レーザー光の一部は波長変換装置を励起し、波長変換装置は波長が変調された青色光を発光するステップ（Ｓ１０４）と、青色レーザー光における波長が変調されていない他部分を前記波長が変調された青色光と混合させるステップ（Ｓ１０６）と、を備える青色光合成方法とこの青色光合成方法を用いた青色光合成システムにより達成し得る。【選択図】図１
2015106561.tif 000002
【特許請求の範囲】
【請求項１】
青色レーザー光を供給するステップと、
前記青色レーザー光の光学経路に波長変換装置を配置し、前記青色レーザー光の一部によって前記波長変換装置が励起して波長が変調された青色光を発光させるステップと、
前記青色レーザー光の波長が変調されていない他部分と波長が変調された前記青色光とを混合させるステップと、を備えることを特徴とする青色光合成方法。
【請求項２】
前記混合させるステップを行う前に、
波長が変調されていない前記青色レーザー光の他部分に対して強度の減衰を行い、または部分的に濾過をするステップを更に含むことを特徴とする請求項１に記載の青色光合成方法。
【請求項３】
前記波長変換装置が光透過エリアを有すると共に、前記光透過エリア以外のエリアに波長変換材料を有することを特徴とする請求項１に記載の青色光合成方法。
【請求項４】
前記青色レーザー光の一部は前記光透過エリアを透過し、前記青色レーザー光の他部分は、前記波長変換材料を介してその波長が変調され、前記青色光として発光されることを特徴とする請求項３に記載の青色光合成方法。
【請求項５】
前記青色レーザー光の波長は４４５nm〜４４８nmであり、波長が変調された前記青色光の主波長は４６０nm±５nmであることを特徴とする請求項１に記載の青色光合成方法。
【請求項６】
青色レーザー光を供給する発光源と、
前記青色レーザー光の光学経路に配置された波長変換装置と、
前記光学経路を構成する光学素子セットとを備え、
前記青色レーザー光の一部は、前記波長変換装置を励起し、前記波長変換装置は波長が変調された青色光を発光し、前記青色レーザー光における波長が変調されていない他部分は波長が変調された前記青色光と混合されることを特徴とする青色光合成装置。
【請求項７】
前記光学素子セットはフィルターを備え、前記フィルターは、前記青色レーザー光の一部を濾過すると同時に、波長が変調された前記青色光を透過することを特徴とする請求項６に記載の青色光合成装置。
【請求項８】
前記光学素子セットは減衰器を備え、前記減衰器は、前記青色レーザー光の一部を減衰すると同時に、波長が変調された前記青色光を透過することを特徴とする請求項６に記載の青色光合成装置。
【請求項９】
前記光学素子セットはダイクロイックミラーを備え、前記ダイクロイックミラーは、前記青色レーザー光を反射すると同時に、波長が変調された前記青色光を透過することを特徴とする請求項６に記載の青色光合成装置。
【請求項１０】
前記波長変換装置は光透過エリアを有すると共に、前記光透過エリア以外のエリアに波長変換材料を有することを特徴とする請求項６に記載の青色光合成装置。
【請求項１１】
前記青色レーザー光の一部は前記光透過エリアを透過し、前記青色レーザー光の他部分は波長変換材料によってその波長が変調され、前記青色光として発光されることを特徴とする請求項１０に記載の青色光合成装置。
【請求項１２】
前記青色レーザー光の波長は４４５nm〜４４８nmであり、波長が変調された前記青色光の主波長は４６０nm±５nmであることを特徴とする請求項６に記載の青色光合成装置。
【発明の詳細な説明】
【技術分野】
【０００１】
本発明は、光合成方法及び光合成装置に関するものであり、特に、青色光合成方法及び青色光合成装置に関するものである。
【背景技術】
【０００２】
プロジェクタにカラー画像を生成させるには、赤緑青（ＲＧＢ）の三原色を互いに一定の割合で混合する必要がある。通常、各色に必要とされる成分の割合はホワイトバランスにより推定され、特に青色光の割合はホワイトバランスの座標位置と色温度に対する影響が大きい。赤、緑、青の三色混光の場合において、青色光の割合は、僅か１０％以内だけで一般的に使われるホワイトバランスの仕様に達することができ、残りの９０％の割合は、主に赤色光と緑色光から組成される。従って、プロジェクタにおける白色画面の輝度は青色光の割合によって決定される。
【０００３】
レーザープロジェクタは、従来の電球（Lamp）とは異なり、通常、青色レーザー光を主な青色光源として使用する。そのうち、従来の電球における青色光源は、フィルタレンズまたは青色光ＬＥＤに合わせて使用される。しかしながら、仮に、上記青色レーザー光をプロジェクタの青色光源とする場合、プロジェクタ全体で表示される色域は、Ｒｅｃ. ７０９に規定された標準色域をカバーすることができないため、色彩の豊かさが低減する。また、青色光源の成分は青色光レーザー光を主とするため、製品のクラスが上がる同時に、青色レーザー光のワット数も増加する。しかし、このような高輝度製品は、必然としてレーザー光の残量が多く、レーザー光を用いた製品の安全性に関する規定が満たされないという問題があった。
【０００４】
よって、その合成された青色光を青色光源として使用し、表示される色彩がＲｅｃ. ７０９に規定された標準色域をカバーすることができ、且つ、レーザー光を用いた製品の安全性に関する規定を満たすことのできる青色光合成方法及び青色光合成装置を如何に提供するかが重要な課題となる。
【発明の概要】
【発明が解決しようとする課題】
【０００５】
上記の課題に鑑み、本発明は、Ｒｅｃ. ７０９の規格を満たし得ると同時に、ＩＥＣ−６０８２５−１のレーザー光を用いた製品の標準安全性規格をも満たすことができる青色光源を合成できる、とくにプロジェクターなどの画像表示装置に用いて好適な青色光合成方法及び青色光合成装置を提供することを課題とする。
【課題を解決するための手段】
【０００６】
上記の目的を達成するために、本発明に係る青色光合成方法は、青色レーザー光を供給するステップと、青色レーザー光の光学経路に波長変換装置を配置し、青色レーザー光の一部は波長変換装置を励起し、波長変換装置は波長が変調された青色光を発光するステップと、青色レーザー光における波長が変調されていない他部分を波長が変調された青色光と混合させるステップとを備える。
【０００７】
本発明の一実施例において、前記混合させるステップを行う前に、波長が変調されていない青色レーザー光に対して強度の減衰を行い、または部分的に濾過をするステップを更に含む。
【０００８】
本発明の一実施例において、前記波長変換装置が光透過エリアを有すると共に、前記光透過エリア以外のエリアに波長変換材料を有する。
【０００９】
本発明の一実施例において、青色レーザー光の一部は光透過エリアを透過し、青色レーザー光の他部分は波長変換材料を介してその波長が変調され、青色光として発光される。
【００１０】
本発明の一実施例において、波長変換装置は色環を備える。
【００１１】
本発明の一実施例において、波長変換材料は、蛍光材料または燐光材料、または上記二者の組合せである。
【００１２】
本発明の一実施例において、蛍光材料はシリコーン化合物を含む。
【００１３】
本発明の一実施例において、青色レーザー光の波長は４４５nm〜４４８nmであり、波長が変調された青色光の主波長は４６０nm±５nmである。
【００１４】
もう一つの実施例において、本発明に係る青色光合成装置は、青色レーザー光を供給する発光源と、青色レーザー光の光学経路に配置された波長変換装置と、光学経路を構成する光学素子セットとを備え、青色レーザー光の一部は、波長変換装置を励起し、波長変換装置は波長が変調された青色光を発光し、青色レーザー光における波長が変調されていない他部分は波長が変調された青色光と混合される。
【００１５】
本発明の一実施例において、光学素子セットはフィルターを備え、フィルターは青色レーザー光の一部を濾過すると同時に、波長が変調された青色光はフィルターを透過する。
【００１６】
本発明の一実施例において、光学素子セットは減衰器を備え、減衰器は、青色レーザー光の一部を減衰すると同時に、波長が変調された青色光を透過する。
【００１７】
本発明の一実施例において、光学素子セットはダイクロイックミラーを備え、ダイクロイックミラーは、青色レーザー光を反射すると同時に、波長が変調された青色光を透過する。
【００１８】
本発明の一実施例において、波長変換装置は光透過エリアを有すると共に、光透過エリア以外のエリアに波長変換材料を有する。
【００１９】
本発明の一実施例において、青色レーザー光の一部は光透過エリアを透過し、青色レーザー光の他部分は、波長変換材料によってその波長が変調され、青色光として発光される。
【００２０】
本発明の一実施例において、波長変換装置は色環を備える。
【００２１】
本発明の一実施例において、波長変換材料は、蛍光材料または燐光材料、または上記二者の組合せである。
【００２２】
本発明の一実施例において、蛍光材料はシリコーン化合物を含む。
【００２３】
本発明の一実施例において、青色レーザー光の波長は４４５nm〜４４８nmであり、波長が変調された青色光の主波長は４６０nm±５nmである。
【発明の効果】
【００２４】
上記をまとめると、本発明に係る青色光合成方法及び青色光合成装置において、青色レーザー光の一部は波長が変調された青色光として励起され、青色レーザー光の他部分は波長が変調された青色光と混合される。これを介して、本発明に係る青色光合成方法及び青色光合成装置は、Ｒｅｃ. ７０９の規格を満たすと同時に、ＩＥＣ−６０８２５−１レーザー光を用いた製品の標準安全性規格をも満たし得る青色光源を合成することができる。
【図面の簡単な説明】
【００２５】
【図１】本発明の好ましい実施例に係る青色光合成方法におけるステップを示す図である。
【図２】本発明の好ましい実施例に係る蛍光材料により励起された蛍光の周波数スペクトル図である。
【図３Ａ】本発明の好ましい実施例に係る波長変換装置を示す図である。
【図３Ｂ】本発明の好ましい実施例に係るもう一つの波長変換装置を示す図である。
【図４Ａ】本発明の好ましい実施例に係る青色レーザー光の周波数スペクトル図である。
【図４Ｂ】本発明の好ましい実施例に係る青色レーザー光が含まれた青色光と、減衰器と、フィルターの周波数スペクトル図である。
【図４Ｃ】本発明の好ましい実施例に係る混合された青色光の周波数スペクトル図である。
【図５】本発明の好ましい実施例に係る青色光合成装置を示す図である。
【図６】本発明のもう一つの好ましい実施例に係る青色光合成装置を示す図である。
【発明を実施するための形態】
【００２６】
関連する図面を参照しながら、本発明の好ましい実施例に係る青色光合成方法及び青色光合成装置を以下の通りに説明し、この場合、同じ構成要素は同じ符号を付して説明する。
【実施例１】
【００２７】
まずは図１を参考されたい。図１は本発明の好ましい実施例に係る青色光合成方法におけるステップを示す図である。本発明に係る青色光合成方法は、青色レーザー光を供給するステップ（Ｓ１０２）と、青色レーザー光の光学経路に波長変換装置を配置し、青色レーザー光の一部は、波長変換装置を励起し、波長変換装置は波長が変調された青色光を発光するステップ（Ｓ１０４）と、青色レーザー光における波長が変調されていない他部分を波長が変調された青色光と混合させるステップ（Ｓ１０６）とを備える。また、前記ステップ（Ｓ１０４）と（Ｓ１０６）の間に、後述するように、波長が変調されていない青色レーザー光に対して強度の減衰を行い、または濾過をするステップ（Ｓ１０５）を設けてもよい。本発明の青色光合成方法は、照明システム、プロジェクタ、表示、またはその他の光学装置に適用されるが、特定の光学装置に限定されるものではなく、本実施例においては、レーザー光を用いたレーザープロジェクタを例とする。
【００２８】
ステップＳ１０２において、青色レーザー光は、気体レーザー、固体レーザー、光ファイバーレーザー、または半導体レーザーなどの発光源によって供給することができるが、本発明における発光源はこれらに制限されるものではない。本実施例において、青色レーザー光は励起光源として使われるほか、光の混合にも使われている。これまで市販のレーザーから供給される青色レーザー光の波長は、通常４４５〜４４８nmであるので、混合プロセスのコストを下げるため、本実施例における青色レーザー光としても、波長が４４５nm〜４４８nmのものを採用することが望ましい。そうすることにより、特定の波長のレーザー光を製作する必要がなく、コストを下げることができる。当然のことながら、本発明は、青色レーザー光の波長範囲に限定されるものではなく、必要とする混合青色光を生成させることを優先して波長範囲を選定することができる。
【００２９】
ステップＳ１０４において、青色レーザー光の光学経路に波長変換装置を配置し、青色レーザー光の一部は、波長変換装置を励起し、波長変換装置は波長が変調された青色光を発光する。波長変換装置は波長変換材料を有し、波長変換材料は色環であることが好ましい。本実施例において、青色レーザー光が波長変換装置に向けて放射され、且つ、当該波長変換装置の波長変換材料を照射したとき、波長変換材料は光を励起する。本実施例において、波長変換材料により励起された光は青色光を主とし、その主波長は４６０nm±５nmであるが、異なる波長の変調要求に応じて、異なる波長に対応する波長変換材料を選択することができる。実施上において、波長が４４５nmの青色レーザー光を使用した場合、青色レーザー光の残量を効果的に低減させるために（即ち、更にレーザー光を用いた製品の安全規格をも満たすために）、波長が４６０nmの波長変換材料を使用することが好ましい。そうすることにより、緑色蛍燐光体粉末（主波長は約５５０nmである）またはシアン蛍燐光体粉末（主波長は約４９０nmである）を使用して光を混合する従来技術に比べて、本実施例に使用される波長変換装置（主波長は約４６０nm±５nmである）は青色レーザー光の残量を更に効果的に下げることができる。
【００３０】
波長変換材料は、蛍光材料または燐光材料、またはこれら２材料の組合せである。本実施例では蛍光材料を採用し、蛍光材料の主な成分はシリコーン化合物を含む。本実施例における蛍光材料の主波長は４６０nmであり、上記蛍光材料に励起された蛍光の周波数スペクトルは図２に示した通りである。
【００３１】
上記波長変換装置は、光透過エリアを有するものとすることができる。光透過エリアは、例えば、ガラスなどの透明な物体でもよく、貫通孔でもよく、光を透過させる効果を達することができれば良いので、これらに制限されるものではない。その場合において、波長変換材料は上記光透過エリア以外のエリアに配置することができる。次に、図３Ａと図３Ｂを参照されたい。図３Ａは本発明で用いられる波長変換装置１２の一実施例を示す図であり、図３Ｂはもう一つの実施例の波長変換装置２２を示す図である。図３Ａの波長変換装置１２は、前記光透過エリアを有しておらず、この波長変換装置１２は、後述の図５に示す青色光合成装置１に用いられる。一方、図３Ｂの波長変換装置２２は、光透過エリアＡを有しており、この波長変換装置２２は、後述の図６に示す青色光合成装置２に用いられる。これらの波長変換装置１２と２２は色環を例とする。図３Ａに示す波長変換装置１２においては、波長変換装置１２のエリアＲに波長変換材料を配置し、青色レーザー光をこのエリアＲに透過させた場合、すべての青色レーザー光（エリアＳは入射した青色レーザー光の断面を示す）が波長変換材料を照射するが、そのうち青色レーザー光の一部は、波長変換材料を励起することにより、変調された青色光として発光され、そして青色レーザー光の他部分は、波長変換材料に吸収されず、そのまま波長変換材料を透過して放射され、且つ波長が変調されない。一方、図３Ｂに示す波長変換装置２２においては、光透過エリアＡが設けられている。レーザー光は方向性を持っているため、即ち、光ビームの平行度が高いため、青色レーザー光（エリアＳは入射した青色レーザー光の断面を示す）が光透過エリアＡを含む領域を照射した場合、青色レーザー光の一部は光透過エリアＡを透過し、一方、光透過エリアＡを透過しない青色レーザー光の他部分は波長変換材料を有するエリアＲを照射して光を励起させる。本実施例において、励起された光は青色光であり、好ましくは青色蛍光である。
【００３２】
次に、図４Ａを参照されたい。図４Ａは青色レーザー光の周波数スペクトル図である。青色レーザー光が波長変換装置を励起する過程において、青色レーザー光の一部が光透過エリアを透過するものにおいては、光透過エリアを透過したのち混合された青色レーザー光のエネルギーは、照射前の青色レーザー光のエネルギーよりも低い。そのため、ＩＥＣ−６０８２５−１のレーザー光を用いた製品の標準安全性規格（青色レーザー光のエネルギー値のワット数は実際の必要に応じて異なる規格がある。例えば、５ｍＷ、または２ｍＷより低くしなければならない）を満たすことができる。しかし、光透過エリアを透過せず、波長が変調されていない青色レーザー光は、依然として比較的高いエネルギーを有するため、ＩＥＣ−６０８２５−１のレーザー光を用いた製品の標準安全性規格を達することができない。そのため、本実施例のステップＳ１０５において、混合するステップを行う前に、波長が変調されていない青色レーザー光に対して、強度の減衰を行い、またはその一部を濾過することが望ましい。その場合、青色レーザー光の光学経路にフィルターを配置し、このフィルターによって青色レーザー光の一部を濾過し、例えば、６０％の青色レーザー光を濾過するようにする。フィルターが濾過可能な波長範囲は４４５nm〜４４８nmである。従って、本実施例に係るフィルターは単に青色レーザー光の一部だけを濾過し、主波長が４６０nm±５nmの青色蛍光は濾過しない。注意すべきことは、この場合のフィルターは減衰器でも代替できることである。同様に、減衰器が減衰可能な波長範囲は４４５nm〜４４８nmであり、減衰器は青色レーザー光の一部を減衰させ、例えば、６０％の青色レーザー光を減衰させるが、主波長が４６０nm±５nmの青色蛍光は減衰させない。よって、濾過または減衰した後の青色レーザー光は比較的低いエネルギーを有し、ＩＥＣ−６０８２５−１のレーザー光を用いた製品の標準安全性規格を満たすことができる。前記フィルターまたは減衰器（本願において「フィルター／減衰器」と記す。）による周波数スペクトルは、図４Ｂに示した通りである。図４Ｂは、青色レーザー光が含まれた青色光と、減衰器と、フィルターの周波数スペクトル図であり、フィルター／減衰器は余分な青色レーザー光のエネルギーを除去することができる。
【００３３】
次に、ステップＳ１０６を説明する。ステップＳ１０６において、波長が変調されていない青色レーザー光を、波長が変調された青色光と混合する。上記のように、本実施例は青色レーザー光の一部を励起光源とし、波長変換装置における波長変換材料に青色蛍光を励起させる。光透過エリアを透過した青色レーザー光の他部分を、励起された青色蛍光と混合し、且つ混合した後の混合青色光は本実施例に係るレーザープロジェクタの青色光源として使用される。本実施例は、波長が４４５nm〜４４８nmの青色レーザー光と主波長が４６０nm±５nmの青色蛍光との混合を行うので、前記混合青色光はＲｅｃ．７０９の規格を満たしている。混合青色光の周波数スペクトルは図４Ｃに示した通りである。
【００３４】
結論として、本実施例は、レーザー光によって青色レーザー光を供給し、青色レーザー光の一部が青色蛍光として励起され、励起に使用されていない青色レーザー光の他部分は青色蛍光と混合を行い、混合した後の青色光は、即ち、本実施例に係るレーザープロジェクタに使われる青色光源となる。青色レーザー光と青色蛍光の波長は特定範囲内にあるので、前記青色光として合成されて成る混合青色光はＲｅｃ．７０９の規格を満たしている。また、他の実施例において、青色光合成方法は、フィルターまたは減衰器を採用することによって、青色レーザー光の一部を濾過しまたは減衰させ、青色レーザー光のエネルギーを更に下げ、ＩＥＣ−６０８２５−１のレーザー光を用いた製品の標準安全性規格を満たすようにすることができる。
【００３５】
図５を参照されたい。図５は本発明の好ましい実施例に係る青色光合成装置を示す図である。上記の好ましい実施例に係る青色光合成方法は本実施例に係る青色光合成装置１によって実施することができる。本実施例において、青色光合成装置１は、発光源１１と、波長変換装置１２と、光学素子セット１３と、インテグレータロッド（integrator rod）１４を備える。発光源１１と波長変換装置１２（図３Ａを参照）は前述のものと同じであるため、ここでは繰り返して述べない。
【００３６】
本実施例において、青色レーザー光は光学経路Ｌを有する。光学素子セット１３は光学経路Ｌを構成し、光学素子セット１３はレンズ１３１と、レンズ１３２と、フィルター／減衰器１３３とを備える。フィルター／減衰器１３３はレンズ１３１とレンズ１３２の間に配置され、発光源１１はレンズ１３１に対してフィルター／減衰器１３３と反対側に配置され、波長変換装置１２はレンズ１３１と発光源１１の間に配置される。また、本実施例において、青色レーザー光は波長変換装置１２を介して励起され、その波長が変調された青色光の経路が符号Ｌ１で示してあり、この場合、青色光は青色蛍光を例とする。インテグレータロッド（integrator rod）１４はレンズ１３２からの青色光を受光し、混合した後、その混合青色光をレーザープロジェクタの青色光源として使用する。注意すべきことは、波長が変調された青色光（例えば、青色蛍光）はレーザー光のように方向性を持つとは限らず、拡散状態で発光する可能性があるので、本実施例における符号Ｌ１が示した経路は一部の範囲内の青色蛍光の経路である。
【００３７】
本実施例を全体から見ると、青色レーザー光は、発光源１１から発せられた後、波長変換装置１２に入射し、青色蛍光として励起される。次に、青色レーザー光の光学経路Ｌと青色蛍光の経路Ｌ１に示すように、青色レーザー光と青色蛍光は順に、レンズ１３１と、フィルター／減衰器１３３と、レンズ１３２とを透過して、インテグレータロッド（integrator rod）１４に集められて混合される。本実施例において、青色レーザー光が青色蛍光として励起された後、青色光合成装置全体の周波数スペクトルは波長が４４５nm〜４４８nmの青色レーザー光と主波長が４６０nm±５nmの青色蛍光とを含む。そして、フィルター／減衰器１３３を介して青色レーザー光の一部を濾過し、または青色レーザー光の強度を減衰する。従って、最終的に得られる混合青色光は、Ｒｅｃ．７０９の規格を満たした青色光であり、レーザー光エネルギーを効果的に下げることにより、ＩＥＣ−６０８２５−１のレーザー光を用いた製品の標準安全性規格も満たしている。つまり、本実施例は、透過光学経路から成るマイナスアプローチ式（minus approach）の青色光合成方法及び青色光合成装置によって実現され、フィルター／減衰器１３３を介して余分なレーザー光エネルギーを下げ、青色レーザー光と青色蛍光を混合青色光として混合させ、これをレーザープロジェクタの青色光源として使用する。
【実施例２】
【００３８】
図６は本発明のもう一つの好ましい実施例に係る青色光合成装置を示す図である。前記の好ましい実施例に係る青色光合成方法を、図６に示す実施例に係る青色光合成装置２によって実施することができる。本実施例に係る青色光合成装置２は、発光源２１と、波長変換装置２２と、光学素子セット２３と、インテグレータロッド（integrator rod）２４とを備える。発光源２１と、波長変換装置２２（図３Ｂを参照）と、インテグレータロッド（integrator rod）２４の説明は前述したものと同じであるため、ここでは繰り返して述べない。
【００３９】
本実施例において用いられる波長変換装置２２は色環であり、光透過エリアを有する。図３Ｂを参照されたい。図３Ｂは本実施例に係る波長変換装置２２を示す図であると同時に、波長変換装置２２を光学経路Ｌの入射方向から見た視野図でもある。光透過エリアＡは、例えば、ガラスなどの透明な物体でもよく、貫通孔でもよく、光を透過させる効果を達することができればいいので、これらに制限されるものではない。本実施例において、光透過エリアＡ以外のエリア（例えば、エリアＲ）には波長変換材料が配置され、波長変換材料によって励起された光は主に青色光であり、その主波長は４６０nm±５nmである。本実施例は主波長が４６０nmである青色蛍光を例とする。図３Ｂに示すように、エリアＳは入射した青色レーザー光の断面を示す。青色レーザー光が光透過エリアＡを含む領域を照射した場合、青色レーザー光の一部は光透過エリアＡを透過すると同時に、青色レーザー光の他部分は青色蛍光として励起される。本実施例において、青色蛍光の経路Ｌ１と青色レーザー光の元経路Ｌ２の照射方向は真逆である。
【００４０】
図６を再度参照されたい。本実施例において、光学素子セット２３はダイクロイックミラー２３１と複数の反射鏡２３２を含み、ダイクロイックミラー２３１と反射鏡２３２は青色レーザー光の光学経路Ｌに配置される。ダイクロイックミラー２３１は青色レーザー光を反射すると共に、波長変換装置２２により波長が変調された青色光（例えば、青色蛍光）はダイクロイックミラー２３１を透過する。詳しく言えば、本実施例のダイクロイックミラー２３１は波長が４００nm〜４５０nmの光を反射するという仕組みを持つ。青色レーザー光の波長は４４５nm〜４４８nmであり、他方、青色蛍光の主波長は４６０nm±５nmであるため、ダイクロイックミラー２３１は青色レーザー光を反射すると共に、青色蛍光を透過する。
【００４１】
本実施例を全体から見ると、青色レーザー光を発光源２１からダイクロイックミラー２３１に向けて照射した場合、ダイクロイックミラー２３１は青色レーザー光を波長変換装置２２に向けて反射する。青色レーザー光が波長変換装置２２に入射した後、青色レーザー光の一部は前記光透過エリアを透過し、青色レーザー光の他部分は、波長変換材料を照射し、青色蛍光として励起される。この時、波長変換装置２２から発光される青色蛍光の経路Ｌ１と青色レーザー光の元光経路Ｌ２の照射方向は真逆であり、青色蛍光はダイクロイックミラー２３１を透過し、インテグレータロッド（integrator rod）２４に入射する。同時に、図６に示すように、光透過エリアを透過した青色レーザー光の一部は、３つの反射鏡２３２による３回の反射を順次経た後、ダイクロイックミラー２３１に向けて照射される。次に、ダイクロイックミラー２３１で反射された青色レーザー光はインテグレータロッド（integrator rod）２４に入射し、青色蛍光と混合されて混合青色光となる。本実施例において、青色レーザー光の一部が青色蛍光として励起された後、残りの部分の青色レーザー光と混合されることによって、青色光合成装置全体の周波数スペクトルは、波長が４４５nm〜４４８nmの青色レーザー光と、主波長が４６０nm±５nmの青色蛍光を含むことになる。波長変換装置２２の光透過エリアを透過した青色レーザー光の一部は、複数回の反射を経過した後、インテグレータロッド（integrator rod）２４に戻る。本実施例における青色レーザー光の一部は励起光源として使われるので、波長変換装置２２の光透過エリアを透過してインテグレータロッド（integrator rod）２４に戻った青色レーザー光のエネルギーはさらに低い。そのため、最終的に得られる混合青色光の周波数スペクトルは、図４Ｃに示した通りとなり、この混合青色光はＲｅｃ．７０９の規格を満たしており、青色レーザー光のエネルギーを効果的に下げることにより、ＩＥＣ−６０８２５−１のレーザー光を用いた製品の標準安全性規格も満たしている。つまり、本実施例は、反射光学経路から成るプラスアプローチ式（plus approach）の青色光合成装置によって実現され、ダイクロイックミラーを用いて青色レーザー光と青色蛍光を異なる経路に分け、最後に青色レーザー光を戻すことで、青色レーザー光を青色蛍光と混合して混合青色光を得るようにしたものである。この混合青色光はレーザープロジェクタの青色光源として使用される。
【００４２】
上記をまとめると、本発明に係る青色光合成方法及び青色光合成装置は、青色レーザー光の一部を波長が変調された青色光として励起させると共に、青色レーザー光の他部分を、この波長が変調された青色光と混合することにより、Ｒｅｃ. ７０９の規格が満たされると同時に、ＩＥＣ−６０８２５−１のレーザー光を用いた製品の標準安全性規格をも満たすことができる青色光源を合成し得るものである。
【００４３】
上記実施例は例示的なものであって、限定するためのものではない。本発明の技術的思想および範囲から逸脱することなく行われる等価の修正または変更は、いずれも別紙の特許請求の範囲に含まれる。
【産業上の利用可能性】
【００４４】
本発明は以上の如く構成したため、Ｒｅｃ. ７０９の規格が満たされると同時に、ＩＥＣ−６０８２５−１のレーザー光を用いた製品の標準安全性規格をも満たすことができる、例えばプロジェクターなど画像表示装置の青色光源を合成できる青色光合成方法及び青色光合成装置として好適に用いられるものである。
【符号の説明】
【００４５】
１、２          青色光合成装置
１１、２１      発光源
１２、２２      波長変換装置
１３、２３      光学素子セット
１３１、１３２  レンズ
１３３          フィルター／減衰器
１４、２４      インテグレータロッド
２３１          ダイクロイックミラー
２３２          反射鏡
Ａ              光透過エリア
Ｌ              光学経路
Ｌ１            経路
Ｌ２            青色レーザー光の元経路
Ｓ、Ｒ          エリア
Ｓ１０２、Ｓ１０４、Ｓ１０５、Ｓ１０６  ステップ
【図１】
2015106561.tif 000003
【図２】
2015106561.tif 000004
【図３Ａ】
2015106561.tif 000005
【図３Ｂ】
2015106561.tif 000006
【図４Ａ】
2015106561.tif 000007
【図４Ｂ】
2015106561.tif 000008
【図４Ｃ】
2015106561.tif 000009
【図５】
2015106561.tif 000010
【図６】
2015106561.tif 000011